(57)【要約】【課題】空気中の塵埃を補足する網目フィルタを筐体に保持させることができ、しかも空気の通流方向における網目フィルタの保持構造を小寸法化することが可能な送風機器を提供する。【解決手段】空気の吸込口、通流路及び吹出口を有する筐体と、空気を前記通流路に通流させ、前記吹出口から吹き出させるファンと、筐体に着脱自在に装着される弾性変形が可能な枠体６１及び該枠体６１に懸架された複数の網線６２ａ，６２ｂを有し、空気中の塵埃を補足する網目フィルタ６とを備えた送風機器において、網目フィルタ６に、網線６２ａ，６２ｂが懸架された方向と異なる方向における枠体６１の対向位置から突出した２つの突起部６３，６４を備え、筐体には該突起部６３，６４に当接するように外嵌され、網目フィルタ６を保持するフィルタ保持部４０ｃを備える。【選択図】図５
2014051955.tif 000002
【特許請求の範囲】
【請求項１】
空気の吸込口、通流路及び吹出口を有する筐体と、空気を前記通流路に通流させ、前記吹出口から吹き出させるファンと、前記筐体に着脱自在に装着される弾性変形が可能な枠体及び該枠体に懸架された複数の網線を有し、空気中の塵埃を補足する網目フィルタとを備えた送風機器において、
前記筐体は、
前記網線が懸架された方向と異なる方向に前記枠体を弾性変形させることにより、前記網目フィルタを保持する保持部を備える
ことを特徴とする送風機器。
【請求項２】
前記網目フィルタは、
前記網線が懸架された方向と異なる方向における前記枠体の対向位置から突出した２つの突起部を備え、
前記保持部は、
該突起部に当接することにより前記網目フィルタを保持するようにしてある
ことを特徴とする請求項１に記載の送風機器。
【請求項３】
前記２つの突起部は前記枠体の内側へ突出しており、
前記保持部は、
前記枠体に内嵌する枠状をなす
ことを特徴とする請求項２に記載の送風機器。
【請求項４】
前記枠体及び前記保持部は円形であり、前記保持部の外径は２つの前記突起部間の長さよりも長い
ことを特徴とする請求項３に記載の送風機器。
【請求項５】
前記複数の網線は直交しており、
前記２つの突起部は、
直交する網線の対角線方向における前記枠体の対向位置から突出している
ことを特徴とする請求項２から請求項４までのいずれか一つに記載の送風機器。
【発明の詳細な説明】
【技術分野】
【０００１】
本発明は、空気中の塵埃を補足する網目フィルタを備えた送風機器に関する。
【背景技術】
【０００２】
送風機器は、塵埃が筐体内部に侵入しないように、空気中の塵埃を補足するエアフィルタを筐体の吸込口に備える（例えば、特許文献１）。エアフィルタは、略矩形状の枠体と、該枠体に懸架されたフィルタ通気体とで構成されている。筐体は、エアフィルタの枠体を挟んで保持すると共に、エアフィルタの挿脱を案内するフィルタガイドを備えている。ユーザは、筐体からエアフィルタを抜き出し、定期的にエアフィルタを清掃することができる。
【先行技術文献】
【特許文献】
【０００３】
【特許文献１】特開２０１２−３２０８０号公報
【発明の概要】
【発明が解決しようとする課題】
【０００４】
しかしながら、エアフィルタを保持するフィルタガイドを備える構成を採用した場合、エアフィルタの枠体を保持するフィルタガイドの分だけ送風機器が大型になるという問題があった。例えば、卓上に設置される小型スタンド照明型の送風機器においては、空気の吸い込み及び吹き出しが行われるヘッドを、ベースに設けられた首部で支持する構成であり、ヘッドのスリム化が求められている。
なお、エアフィルタを保持せず、筐体内部の適宜箇所にエアフィルタを配置しておく構成も考えられるが、メンテナンス時に筐体からエアフィルタが脱落する虞がある。エアフィルタが脱落すると、送風機器及びその周辺に塵埃が飛散してしまい、清掃作業に余計な手間がかかる。
【０００５】
本発明は斯かる事情に鑑みてなされたものであり、その目的は空気中の塵埃を補足する網目フィルタを筐体に保持させることができ、しかも空気の通流方向における網目フィルタの保持構造を小寸法化することが可能な送風機器を提供することにある。
【課題を解決するための手段】
【０００６】
本発明に係る送風機器は、空気の吸込口、通流路及び吹出口を有する筐体と、空気を前記通流路に通流させ、前記吹出口から吹き出させるファンと、前記筐体に着脱自在に装着される弾性変形が可能な枠体及び該枠体に懸架された複数の網線を有し、空気中の塵埃を補足する網目フィルタとを備えた送風機器において、前記筐体は、前記網線が懸架された方向と異なる方向に前記枠体を弾性変形させることにより、前記網目フィルタを保持する保持部を備えることを特徴とする。
【０００７】
本発明にあっては、網目フィルタの枠体が、網線の懸架された方向と異なる方向に弾性変形して、保持部に保持されている。仮に網線が懸架された方向に枠体を弾性変形させようとすると、網線が懸架された方向の引っ張り力が網線に働くため、枠体を十分に弾性変形させることができず、不適である。枠体と、保持部との間には、弾性変形した網目フィルタの復元力が働き、網目フィルタが保持部に保持される。
【０００８】
本発明に係る送風機器は、前記網目フィルタは、前記網線が懸架された方向と異なる方向における前記枠体の対向位置から突出した２つの突起部を備え、前記保持部は、該突起部に当接することにより前記網目フィルタを保持するようにしてあることを特徴とする。
【０００９】
本発明にあっては、網目フィルタの突起部が保持部に当接して、網目フィルタの枠体が弾性変形する。突起部は、網線が懸架された方向と異なる方向における枠体の対向位置から突出しているため、２つの突起部が接近する方向、又は離隔する方向へ枠体を変形させることが可能である。仮に２つの突起部が枠体から網線が懸架された方向へ突出しているような場合、網線が懸架された方向の引っ張り力が網線に働くため、枠体を十分に弾性変形させることができず、不適である。突起部と、保持部との間には、弾性変形した網目フィルタの復元力が働き、網目フィルタが保持部に保持される。
【００１０】
本発明に係る送風機器は、前記２つの突起部は前記枠体の内側へ突出しており、前記保持部は、前記枠体に内嵌する枠状をなすことを特徴とする。
【００１１】
本発明にあっては、２つの突起部は枠体の内側へ突出しており、枠状の保持部に外嵌する。従って、ユーザは網目フィルタの外周部分を掴み、保持部に外嵌させることによって、網目フィルタを保持部に取り付けることができる。また保持部に保持された網目フィルタの外周部分を掴み、保持部から引き出すことにより、網目フィルタを取り外すことができる。
【００１２】
本発明に係る送風機器は、前記枠体及び前記保持部は円形であり、前記保持部の外径は２つの前記突起部間の長さよりも長いことを特徴とする。
【００１３】
本発明にあっては、枠体及び保持部は円形であるため、保持部に対する突起部の位置を考慮することなく、保持部に網目フィルタを着脱することが可能である。
【００１４】
本発明に係る送風機器は、前記複数の網線は直交しており、前記２つの突起部は、直交する網線の対角線方向における前記枠体の対向位置から突出していることを特徴とする。
【００１５】
本発明にあっては、２つの突起部が、直交する網線の対角線方向における枠体の対向位置から突出しているため、網目フィルタの枠体を弾性変形させ易い。
【発明の効果】
【００１６】
本発明によれば、空気中の塵埃を補足する網目フィルタを筐体に保持させることができ、しかも空気の通流方向における網目フィルタの保持構造を小寸法化することができる。
【図面の簡単な説明】
【００１７】
【図１】本実施の形態に係る送風機器の一構成例を示した正面側斜視図である。
【図２】本実施の形態に係る送風機器の一構成例を示した背面側斜視図である。
【図３】送風機器の送風ヘッド及び操作部の内部構成を模式的に示した側断面図である。
【図４】網目フィルタの一構成例を示した正面図である。
【図５】網目フィルタの取り付け状態を示した正面図である。
【図６】網目フィルタの取り付け状態を示した側断面図である。
【図７】帯電粒子発生ユニットの回路図である。
【図８】変形例１に係る網目フィルタの一構成例を示した正面図である。
【図９】変形例１に係る網目フィルタの取り付け状態を示した正面図である。
【図１０】変形例２に係る網目フィルタの一構成例を示した正面図である。
【図１１】変形例２に係る網目フィルタの取り付け状態を示した正面図である。
【図１２】変形例３に係る網目フィルタの取り付け状態を示した正面図である。
【発明を実施するための形態】
【００１８】
以下、本発明をその実施の形態を示す図面に基づいて詳述する。
図１は、本実施の形態に係る送風機器の一構成例を示した正面側斜視図、図２は、本実施の形態に係る送風機器の一構成例を示した背面側斜視図である。本実施の形態に係る送風機器は、正帯電粒子及び負帯電粒子を含む空気を人の肌表面に送風することによって、スチーム又はミストを発生させることなく、肌表面における水分量を増加させ、肌弾力を向上させることができる美容器具である。本実施の形態に係る送風機器は円盤状のベース１を備える。ベース１は略中央部から斜め後方へ盛り上がった隆起部を有し、該隆起部から上方へ首部２が突出している。首部２は外力によって変形が可能な棒状である。首部２の先端部には、中心線が首部２と略一致するように略円柱状の操作部３が設けられている。操作部３の先端部には、送風方向が操作部３の中心線に対して略直交するように円筒状の送風ヘッド４が設けられている。送風ヘッド４の両端部には、空気を吸い込む吸込口４０ｂと、帯電粒子を含む空気を吹き出す吹出口４０ａとがそれぞれ形成されている。以下、説明の便宜上、方向を以下のように定める。図示しない台にベース１を乗せた状態で送風ヘッド４側を上方、ベース１側を下方、吸込口４０ｂ側を後方、吹出口４０ａ側を前方、吹出口４０ａに向かって左側及び右側を左右方向と定める。
【００１９】
図３は、送風機器の送風ヘッド４及び操作部３の内部構成を模式的に示した側断面図である。送風ヘッド４は中空略円筒状の筐体４１を備える。筐体４１の一端側には空気の吸込口４０ｂが設けられ、他端側には空気の吹出口４０ａが設けられている。筐体４１の中央部分は空気が通流する通流路４０を構成している。吸込口４０ｂには、円環状のフィルタ保持部（保持部）４０ｃが内側から前方へ突出しており、空気中の塵埃を補足する網目フィルタ６がフィルタ保持部４０ｃによって保持されている。筐体４１の内部には、帯電粒子発生ユニット４３、ファン４２及び回路基板４４を保持する保持体５が配されている。帯電粒子発生ユニット４３は後述する回路部品を収容した略直方体のユニットケースを有する。ユニットケースは樹脂性であり、正帯電粒子及び負帯電粒子を放出するための放出孔が上面に２つ形成されている。２つの放出孔にはそれぞれ正帯電粒子及び負帯電粒子を発生させる正極針４３ｇ及び負極針４３ｆ（図７参照）が設けられている。ユニットケースは、筐体４１内部の下部に配され、正極針４３ｇ及び負極針４３ｆが通流路４０側を向くような姿勢で保持体５に保持されている。また、保持体５に保持された帯電粒子発生ユニット４３の前面には、回路基板４４と電気接続するための接続端４３ａ（図７参照）が設けられている。ファン４２は、例えばプロペラファンであり、プロペラは略直方体の支持枠によって支持され、該プロペラの回転軸が筐体４１の中止線と略一致するように筐体４１内部の前側に、保持体５によって保持されている。回路基板４４は、筐体４１の下部から操作部３の内部に亘る長方形状をなし、帯電粒子発生ユニット４３に電気接続するための接点を上部の背面側の面に有する。保持体５は回路基板４４の接点に、帯電粒子発生ユニット４３の接続端４３ａを当接させた状態で回路基板４４を保持している。
操作部３は、中空略円筒状の収容体３１を有する。収容体３１の内部には保持体５によって保持された回路基板４４が配され、収容体３１の前面側に照明装置７、及び送風機器を操作するためのスライドスイッチ８が配されている。
なお、図３中、白丸は吹出口４０ａから吹き出された正帯電粒子、黒丸は吹出口４０ａから吹き出された負帯電粒子を模式的に示したものである。
【００２０】
図４は、網目フィルタ６の一構成例を示した正面図である。網目フィルタ６は、円形のフィルタ保持部４０ｃに着脱自在に装着される弾性変形が可能な円形の枠体６１を備える。枠体６１は例えば樹脂製部材で構成される。なお、枠体６の材質は弾性変形が可能であれば、特に限定されない。枠体６１には縦横に直交するように懸架された複数の網線６２ａ、６２ｂからなる網部材６２が設けられている。網部材６２は例えば樹脂製である。網目フィルタ６は、直交する網線６２ａ、６２ｂの対角線方向における枠体６１の対向位置から径方向内側へ突出している２つの突起部６３、６４を備える。突起部６３、６４間の距離はフィルタ保持部４０ｃの外径よりも短い。なお、網線６２ａ、６２ｂは必ずしも１本ずつ交差させる必要は無く、網目状に構成されていれば良い。
【００２１】
図５は、網目フィルタ６の取り付け状態を示した正面図、図６は、網目フィルタ６の取り付け状態を示した側断面図である。フィルタ保持部４０ｃの外径は、突起部６３、６４間の距離よりも長いため、フィルタ保持部４０ｃに網目フィルタ６の枠体６１を外嵌させた場合、突起部６３、６４が径方向外側へ押し広げられ、枠体６１が弾性変形する。弾性変形した枠体６１は楕円形になり、枠体６１の復元弾性力によって網目フィルタ６はフィルタ保持部４０ｃに保持される。つまり、網目フィルタ６の枠体６１は元の形に戻ろうとするため、突起部６３、６４は、フィルタ保持部４０ｃを外側から挟み込むような力をフィルタ保持部４０ｃに及ぼす。
【００２２】
図７は、帯電粒子発生ユニット４３の回路図である。帯電粒子発生ユニット４３が有する接続端４３ａは、接続端４３ａに入力される直流電圧を交流電圧に変換する直流交流変換回路４３ｂに接続されている。直流交流変換回路４３ｂの出力端には高圧トランス４３ｃの一次コイルが接続され、交流電圧が一次コイルに印加されるように構成されている。高圧トランス４３ｃの二次コイルの一端には整流ダイオード４３ｄが逆接続され、整流ダイオード４３ｄのアノードに負極針４３ｆが接続されている。高圧トランス４３ｃの二次コイルの他端には整流ダイオード４３ｅが順接続され、整流ダイオード４３ｅのカソードに正極針４３ｇが接続されている。また、帯電粒子発生ユニット４３は、回路基板４４に接続することで接地される接地板４３ｈを有する。接地板４３ｈは適宜長離隔して形成された孔を有し、各孔の中心に正極針４３ｇ及び負極針４３ｆの先端が位置するように、接地板４３ｈ並びに正極針４３ｇ及び負極針４３ｆが位置決め固定されている。
【００２３】
このように構成された送風機器にあっては、網目フィルタ６をフィルタ保持部４０ｃに外嵌させることによって、網目フィルタ６の枠体６１を弾性変形させ、フィルタ保持部４０ｃに網目フィルタ６を保持させることができる。突起部６３，６４は、網線６２ａ，６２ｂが懸架された方向と異なる方向における枠体６１の対向位置から内側へ突出しているため、２つの突起部６３，６４が離隔する方向へ枠体６１を弾性変形させることが可能である。このようにして、枠体６１の弾性力によって突起部６３，６４はフィルタ保持部４０ｃを挟み込むことができるため、フィルタを保持するためのガイドのような構造が無くても、網目フィルタ６はフィルタ保持部４０ｃに保持される。従って、本実施の形態によれば、空気中の塵埃を補足する網目フィルタ６を筐体４に保持させることができ、しかも空気の通流方向における網目フィルタ６の保持構造を小寸法化することができる。
【００２４】
また、２つの突起部６３，６４は枠体６１の内側へ突出しているため、ユーザは網目フィルタ６の外周部分を掴み、フィルタ保持部４０ｃに外嵌させることによって、網目フィルタ６をフィルタ保持部４０ｃに取り付け、また取り外すことができる。
【００２５】
更に、枠体６１及びフィルタ保持部４０ｃは円形であるため、フィルタ保持部４０ｃに対する突起部６３，６４の位置を考慮することなく、フィルタ保持部４０ｃに網目フィルタ６を着脱することができる。
【００２６】
更にまた、２つの突起部６３，６４が、直交する網線の対角線方向における枠体６１の対向位置から突出しているため、網目フィルタ６の枠体６１を弾性変形させ易く、軽い力でフィルタ保持部４０ｃを簡単に着脱することができる。
【００２７】
（変形例１）
図８は、変形例１に係る網目フィルタ１０６の一構成例を示した正面図である。変形例１に係る網目フィルタ１０６は、上述の実施の形態で説明した網目フィルタ１０６と同様、枠体１６１と、網部材１６２とを備える。網目フィルタ１０６は、直交する網線１６２ａ，１６２ｂの対角線方向における枠体１６１の対向位置から径方向外側へ突出している２つの突起部１６３，１６４を備える。突起部１６３，１６４間の距離はフィルタ保持部１４０ｃ（図９参照）の外径よりも長い。
【００２８】
図９は、変形例１に係る網目フィルタ１０６の取り付け状態を示した正面図である。フィルタ保持部１４０ｃの内径は、突起部１６３，１６４間の距離よりも短いため、フィルタ保持部１４０ｃに網目フィルタ１０６の枠体１６１を内嵌させた場合、突起部１６３，１６４が径方向内側へ押し狭められ、枠体１６１が弾性変形する。弾性変形した枠体１６１は楕円形になり、枠体１６１の弾性力によって網目フィルタ１０６はフィルタ保持部１４０ｃに保持される。つまり、網目フィルタ１０６の枠体１６１は元の形に戻ろうとするため、突起部１６３，１６４は、フィルタ保持部１４０ｃを内側から突っ張るような力をフィルタ保持部１４０ｃに及ぼす。
【００２９】
変形例１にあっても、実施の形態と同様、空気中の塵埃を補足する網目フィルタ１０６をフィルタ保持部１４０ｃに保持させることができ、しかも空気の通流方向における網目フィルタ１０６の保持構造を小寸法化することができる。
【００３０】
なお、実施の形態及び変形例１においては、縦横に懸架された網線の対角線方向に突出する突出部を説明したが、網線が懸架される方向以外であれば他の方向から突出部を突出させても良い。
【００３１】
（変形例２）
図１０は、変形例２に係る網目フィルタ２０６の一構成例を示した正面図である。
網目フィルタ２０６は、例えば楕円形のフィルタ保持部２４０ｃ（図１１参照）に着脱自在に装着される弾性変形が可能な円形の枠体２６１を備える。枠体２６１には縦横に直交するように懸架された複数の網線２６２ａ、２６２ｂからなる網部材２６２が設けられている。
【００３２】
図１１は、変形例２に係る網目フィルタ２０６の取り付け状態を示した正面図である。フィルタ保持部２４０ｃの長径は、網目フィルタ２０６の枠体２６１の直径よりも大きく、フィルタ保持部２４０ｃの短径は、枠体２６１の直径よりも小さく、フィルタ保持部２４０ｃに網目フィルタ２０６が外嵌するように構成されている。このため、直交する網線２６２ａ、２６２ｂの対角線方向が、フィルタ保持部２４０ｃの長径方向を向くようにして、フィルタ保持部２４０ｃに網目フィルタ２０６の枠体２６１を外嵌させた場合、枠体２６１は図１１中縦方向に押し広げられ、枠体２６１が弾性変形する。弾性変形した枠体２６１は楕円形になり、枠体２６１の弾性力によって網目フィルタ２０６はフィルタ保持部２４０ｃに保持される。
なお、網線２６２ａ、２６２ｂの対角線方向と、フィルタ保持部２４０ｃの長径方向とを一致させるための印を、フィルタ保持部２４０ｃ及び枠体２６１に設けると良い。また、フィルタ保持部２４０ｃに対する網目フィルタ２０６の嵌め合い方向を規制するキー構造をフィルタ保持部２４０ｃ及び枠体２６１に形成しても良い。
【００３３】
変形例２にあっては、網目フィルタ２０６の枠体２６１に突起部を設けることなく、空気中の塵埃を補足する網目フィルタ２０６をフィルタ保持部２４０ｃに保持させることができ、しかも空気の通流方向における網目フィルタ２０６の保持構造を小寸法化することができる。
なお、上述の変形例２では図１１に示すように楕円形のフィルタ保持部２４０ｃを説明したが、網目フィルタ２０６の直径よりも小径であって、網目フィルタ２０６を押し広げるための２つの突起部を外周面に備えた円形のフィルタ保持部を用いることもできる。２つの突起部は、同一直線上、略反対側に突出しており、該２つの突起部間の距離は、網目フィルタ２０６の枠体２６１の直径よりも大きい。
【００３４】
（変形例３）
図１２は、変形例３に係る網目フィルタ２０６の取り付け状態を示した正面図である。変形例３に係る網目フィルタ２０６の構成は、変形例２と同一であるため、対応する箇所には同様の符号を付し、その詳細な説明を省略する。フィルタ保持部３４０ｃの短径は、網目フィルタ２０６の枠体２６１の直径よりも小さく、フィルタ保持部３４０ｃの長径は、枠体２６１の直径よりも大きく、フィルタ保持部３４０ｃに網目フィルタ２０６が内嵌するように構成されている。このため、直交する網線２６２ａ、２６２ｂの対角線方向が、フィルタ保持部３４０ｃの長径方向を向くようにして、フィルタ保持部３４０ｃに網目フィルタ２０６の枠体２６１を外嵌させた場合、枠体２６１は図１２中縦方向に押し狭められ、枠体２６１が弾性変形する。弾性変形した枠体２６１は楕円形になり、枠体２６１の弾性力によって網目フィルタ２０６はフィルタ保持部３４０ｃに保持される。
なお、変形例２と同様、網線２６２ａ、２６２ｂの対角線方向と、フィルタ保持部３４０ｃの長径方向とを一致させるための印、キー構造等を、フィルタ保持部３４０ｃ及び枠体２６１に設けると良い。
【００３５】
変形例３にあっては、網目フィルタ２０６の枠体２６１に突起部を設けることなく、空気中の塵埃を補足する網目フィルタ２０６をフィルタ保持部３４０ｃに保持させることができ、しかも空気の通流方向における網目フィルタ２０６の保持構造を小寸法化することができる。
なお、上述の変形例３では図１２に示すように楕円形のフィルタ保持部３４０ｃを説明したが、網目フィルタ２０６の直径よりも大径であって、網目フィルタ２０６を押し狭めるための２つの突起部を内周面に備えた円形のフィルタ保持部を用いることもできる。２つの突起部は、同一直線上、略反対側に突出しており、該２つの突起部間の距離は、網目フィルタ２０６の枠体２６１の直径よりも小さい。
【００３６】
また、実施の形態及び変形例においては、円形の枠体及びフィルタ保持部を説明したが、四角形状など、その他の形状であっても良い。
【００３７】
今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００３８】
１  ベース
２  首部
３  操作部
４  送風ヘッド
５  保持体
６  網目フィルタ
７  照明装置
８  スライドスイッチ
４０  通流路
４０ａ  吹出口
４０ｂ  吸込口
４０ｃ  フィルタ保持部（保持部）
４１  筐体
４２  ファン
４３  帯電粒子発生ユニット
４４  回路基板
６１  枠体
６２  網部材
６３、６４  突起部
【図１】
2014051955.tif 000003
【図２】
2014051955.tif 000004
【図３】
2014051955.tif 000005
【図４】
2014051955.tif 000006
【図５】
2014051955.tif 000007
【図６】
2014051955.tif 000008
【図７】
2014051955.tif 000009
【図８】
2014051955.tif 000010
【図９】
2014051955.tif 000011
【図１０】
2014051955.tif 000012
【図１１】
2014051955.tif 000013
【図１２】
2014051955.tif 000014